【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
表示手段で表示しているウィンドウのうち他の機器との共有対象ウィンドウの選択を受け付ける受付手段と、
前記受付手段で前記選択を受け付けたことに応じて、前記共有対象ウィンドウとなったウィンドウの位置とサイズの少なくとも一方を、前記選択の前に前記表示手段に表示していたものから変更するように制御する制御手段と
を有することを特徴とする情報処理装置。
【請求項２】
前記制御手段は、前記共有対象ウィンドウの位置とサイズの少なくとも一方を、前記他の機器と共有される範囲に収まるように変更することを特徴とする請求項１に記載の情報処理装置。
【請求項３】
前記制御手段は、前記共有対象ウィンドウの位置を前記表示手段の中央に変更するように制御することを特徴とする請求項１または２に記載の情報処理装置。
【請求項４】
前記制御手段は、前記共有対象ウィンドウの前記選択の前のサイズが前記表示手段のサイズよりも大きい場合に、前記共有対象ウィンドウのサイズを前記表示手段に収まるサイズに変更するように制御することを特徴とする請求項１乃至３のいずれか１項に記載の情報処理装置。
【請求項５】
前記制御手段は、前記共有対象ウィンドウの形状及びサイズを、前記共有対象ウィンドウを前記表示手段に全画面表示した場合と同様に変更するように制御することを特徴とする請求項１乃至４のいずれか１項に記載の情報処理装置。
【請求項６】
前記制御手段は、前記選択を受け付けたことに応じて、前記共有対象ウィンドウのアスペクト比を所定のアスペクト比に変更するように制御することを特徴とする請求項１乃至５のいずれか１項に記載の情報処理装置。
【請求項７】
前記受付手段は、特定のアプリケーションソフトウエアの画面を表示するウィンドウの選択を受付可能であることを特徴とする請求項１乃至６のいずれか１項に記載の情報処理装置。
【請求項８】
前記制御手段によって位置とサイズの少なくとも一方が変更された前記共有対象ウィンドウの表示内容が継続的に前記他の機器と共有されるように処理を行う処理手段を更に有することを特徴とする請求項１乃至７のいずれか１項に記載の情報処理装置。
【請求項９】
前記処理手段は、前記共有対象ウィンドウの表示内容を前記他の機器と共有している際に前記共有対象ウィンドウが前記表示手段の表示領域に収まらなくなった場合に前記他の機器との共有を停止するように処理することを特徴とする請求項８に記載の情報処理装置。
【請求項１０】
前記処理手段は、前記共有対象ウィンドウの表示内容を前記他の機器と共有している際に前記共有対象ウィンドウの少なくとも一部が他のウィンドウによって隠された場合に前記他の機器との共有を停止するように処理することを特徴とする請求項８または９に記載の情報処理装置。
【請求項１１】
前記共有対象ウィンドウは、テレビ会議、テレビ電話、ウェブ会議の少なくとも１つにおいて前記他の機器と画面共有する対象となるウィンドウであることを特徴とする請求項１乃至１０のいずれか１項に記載の情報処理装置。
【請求項１２】
表示手段で表示しているウィンドウのうち他の機器との共有対象ウィンドウの選択を受け付ける受付手段と、
前記受付手段で前記選択を受け付けて前記共有対象ウィンドウとなったウィンドウの表示内容が継続的に前記他の機器と共有されるように処理を行うとともに、
前記共有対象ウィンドウの表示内容を前記他の機器と共有している際に前記共有対象ウィンドウが前記表示手段の表示領域に収まらなくなった場合に前記他の機器との共有を停止するように処理する第１の停止処理と、前記共有対象ウィンドウの表示内容を前記他の機器と共有している際に前記共有対象ウィンドウの少なくとも一部が他のウィンドウによって隠された場合に前記他の機器との共有を停止するように処理する第２の停止処理との少なくとも一方の処理を行う処理手段と
を有することを特徴とする情報処理装置。
【請求項１３】
表示手段で表示しているウィンドウのうち他の機器との共有対象ウィンドウの選択を受け付ける受付ステップと、
前記受付ステップで前記選択を受け付けたことに応じて、前記共有対象ウィンドウとなったウィンドウの位置とサイズの少なくとも一方を、前記選択の前に前記表示手段に表示していたものから変更するように制御する制御ステップと
を有することを特徴とする情報処理装置の制御方法。
【請求項１４】
表示手段で表示しているウィンドウのうち他の機器との共有対象ウィンドウの選択を受け付ける受付ステップと、
前記受付ステップで前記選択を受け付けて前記共有対象ウィンドウとなったウィンドウの表示内容が継続的に前記他の機器と共有されるように処理を行う共有ステップと、
前記共有対象ウィンドウの表示内容を前記他の機器と共有している際に前記共有対象ウィンドウが前記表示手段の表示領域に収まらなくなった場合に前記他の機器との共有を停止するように処理する第１の停止処理と、前記共有対象ウィンドウの表示内容を前記他の機器と共有している際に前記共有対象ウィンドウの少なくとも一部が他のウィンドウによって隠された場合に前記他の機器との共有を停止するように処理する第２の停止処理との少なくとも一方の処理を行う停止ステップと
を有することを特徴とする情報処理装置の制御方法。
【請求項１５】
コンピュータを、請求項１乃至１２のいずれか１項に記載された情報処理装置の各手段として機能させるためのプログラム。
【手続補正２】
【補正対象書類名】明細書
【補正対象項目名】発明の名称
【補正方法】変更
【補正の内容】
【発明の名称】情報処理装置、情報処理装置の制御方法及びプログラム
【手続補正３】
【補正対象書類名】明細書
【補正対象項目名】０００７
【補正方法】変更
【補正の内容】
【０００７】
本発明の目的は、選択されたウィンドウの共有が適切に行われる仕組みを提供することである。
【手続補正４】
【補正対象書類名】明細書
【補正対象項目名】０００８
【補正方法】変更
【補正の内容】
【０００８】
本発明の情報処理装置は、
表示手段で表示しているウィンドウのうち他の機器との共有対象ウィンドウの選択を受け付ける受付手段と、
前記受付手段で前記選択を受け付けたことに応じて、前記共有対象ウィンドウとなったウィンドウの位置とサイズの少なくとも一方を、前記選択の前に前記表示手段に表示していたものから変更するように制御する制御手段と
を有することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明によれば、選択されたウィンドウの共有が適切に行われる仕組みを提供することができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】０１８８
【補正方法】変更
【補正の内容】
【０１８８】
例えば、図１５の１５１０に示すように、アプリ選択ウィンドウ１１０２に「画像停止中」の表示をする。「画像停止中」の表示は、アプリウィンドウ１１０４のキャプチャ画像を、送信用画像キュー５３０に記憶する処理を停止していることを示す。すなわち、他のクライアント端末１００（例：１００Ａ〜１００Ｃ）に共有されている画像（例：１６１１）は、アプリウィンドウ１１０４の表示更新に連動することなく、停止している状態であることを示す。